(57)【要約】【課題】下水管の内壁を効率的に洗浄すること【解決手段】下水管２３の内壁２３ａを洗浄する下水管洗浄装置１であって、回転可能のボデー３とボデー３の周面に設けられる複数の曲管ノズル５とボデー３を支持するための脚部３１ａ，３１ｂとからなり、ボデー３は中空の筒状に形成され一端部にホース１３が接続され、曲管ノズル５はボデー３の周面に螺旋状に設けられる。曲管ノズル５から圧水を噴出させると、その反作用により、ボデー３は回転の推進力を得る。連続的に噴出される圧水は、ボデー３の回転中、洗浄水として下水管２３の内壁全面に常に略直角に噴射されるから、下水管２３の内壁洗浄を効率的に行うことができる。【選択図】図１
2013091920.tif 000002
【特許請求の範囲】
【請求項１】
下水管の内壁を洗浄する下水管洗浄装置であって、
回転可能のボデーと、上記ボデーの周面に螺旋状に立設される複数の曲管と、上記ボデーを支持するための脚部とからなり、
上記ボデーは中空の筒状に形成され一端部に圧水が注入されるホースが接続され、
上記圧水が上記曲管のノズルから噴出され、この噴出の力により上記ボデーが圧水の噴出方向とは反対方向に回転することを特徴とする下水管洗浄装置。
【請求項２】
請求項１記載の下水管洗浄装置において、上記ボデーに複数のパイプが螺旋状に立設され、該パイプの全部に曲管が取り付けられることを特徴とする下水管洗浄装置。
【請求項３】
請求項１記載の下水管洗浄装置において、上記ボデーに複数のパイプが螺旋状に立設され、該パイプの一部に曲管が取り付けられることを特徴とする下水管洗浄装置。
【請求項４】
請求項３記載の下水管洗浄装置において、上記曲管は上記ボデーの進行方向後部に設けられたパイプに取り付けられることを特徴とする下水管洗浄装置。
【請求項５】
請求項１乃至請求項４いずれか一記載の下水管洗浄装置において、上記脚部が伸縮自在に設けられることを特徴とする下水管洗浄装置。
【請求項６】
請求項５記載の下水管洗浄装置において、上記脚部が適宜数のジョイントからなることを特徴とする下水管洗浄装置。
【請求項７】
請求項１乃至請求項６いずれか一記載の下水管洗浄装置において、上記脚部は上記ボデーの周面に所定角に拡開されて設けられることを特徴とする下水管洗浄装置。
【請求項８】
請求項１記載の下水管洗浄装置において、上記脚部の先端にはそりが設けられることを特徴とする下水管洗浄装置。
【請求項９】
請求項１記載の下水管洗浄装置において、上記ボデーが円筒体状であることを特徴とする下水管洗浄装置。
【請求項１０】
請求項１記載の下水管洗浄装置において、上記ボデーが八角柱体状であることを特徴とする下水管洗浄装置。
【請求項１１】
請求項１記載の下水管洗浄装置において、上記ボデーの両端部にベアリングを取り付けることを特徴とする下水管洗浄装置。
【発明の詳細な説明】
【技術分野】
【０００１】
本願発明は、下水管の内壁を洗浄するための下水管洗浄装置に関する。
【背景技術】
【０００２】
下水管は、使用期間の経過に伴い土砂等の堆積やラード等の付着が起こるため、適宜に保守作業をする必要があり、これを怠ると下水が流れにくくなり悪臭等の原因となる。この保守作業としてはまず内壁の洗浄があり、内壁に損傷がある場合にはライニングを施す必要がある。また、ライニングを施す場合には事前に内壁を洗浄する必要がある。
【０００３】
従来の下水管の洗浄方法は、人手によるものや、高圧洗浄車、吸引車等によるものが主流であるが、なかには洗浄装置を下水管内に挿通するものもあった。
【０００４】
この洗浄装置は、ノズルの回転軸を洗浄対象となる管の長軸に一致させ、噴射の方向を洗浄対象となる管の長さ方向に略一致させるものであり、ノズル回転の動力としてモータを利用するものであった。
【０００５】
しかし、噴射の方向を洗浄対象となる管の長さ方向に略一致させるため、水流が内壁に対して略並行にぶつかるので、水流が内壁に対して直角にぶつかるのに比しムダが多くなり、効率的であるとはいえなかった。また、ノズル回転の動力としてモータを利用するためエネルギー的にも効率的であるとはいえなかった。
【先行技術文献】
【特許文献】
【０００６】
【特許文献１】特表昭５８−５００６１９号公報
【発明の概要】
【発明が解決しようとする課題】
【０００７】
本願発明は上記従来の欠点を解消し、下水管の内壁を効率的に洗浄する装置を供する。
【課題を解決するための手段】
【０００８】
上記目的達成のため、本願発明による下水管洗浄装置は、下水管の内壁を洗浄する下水管洗浄装置であって、
回転可能のボデーと、上記ボデーの周面に螺旋状に立設される複数の曲管と、上記ボデーを支持するための脚部とからなり、
上記ボデーは中空の筒状に形成され一端部に圧水が注入されるホースが接続され、
上記圧水が上記曲管のノズルから噴出され、この噴出の力により上記ボデーが圧水の噴出方向とは反対方向に回転することを特徴とする。
また、請求項１記載の下水管洗浄装置において、上記ボデーに複数のパイプが螺旋状に立設され、該パイプの全部に曲管が取り付けられることを特徴とする。
また、請求項１記載の下水管洗浄装置において、上記ボデーに複数のパイプが螺旋状に立設され、該パイプの一部に曲管が取り付けられることを特徴とする。
また、請求項３記載の下水管洗浄装置において、上記曲管は上記ボデーの進行方向後部に設けられたパイプに取り付けられることを特徴とする。
また、請求項１乃至請求項４いずれか一記載の下水管洗浄装置において、上記脚部が伸縮自在に設けられることを特徴とする。
また、請求項５記載の下水管洗浄装置において、上記脚部が適宜数のジョイントからなることを特徴とする。
また、請求項１乃至請求項６いずれか一記載の下水管洗浄装置において、上記脚部は上記ボデーの周面に所定角に拡開されて設けられることを特徴とする。
また、請求項１記載の下水管洗浄装置において、上記脚部の先端にはそりが設けられることを特徴とする。
また、請求項１記載の下水管洗浄装置において、上記ボデーが円筒体状であることを特徴とする。
また、請求項１記載の下水管洗浄装置において、上記ボデーが八角柱体状であることを特徴とする。
また、請求項１記載の下水管洗浄装置において、上記ボデーの両端部にベアリングを取り付けることを特徴とする。
【発明の効果】
【０００９】
このように、本願発明にかかる下水管洗浄装置によれば、曲管のノズルから圧水を噴出させ、その反作用によりボデー回転の推進力を得る。そして連続的に噴出される圧水は、ボデーの回転中、洗浄水として下水管の内壁全面に常に略直角に噴射されるから、洗浄が効率的に行われる。
【図面の簡単な説明】
【００１０】
【図１】本願発明による下水管洗浄装置の実施の形態を示す正面図である。
【図２】図１の左側面図である。
【図３】図１の平面図である。
【図４】図１の脚部の分解図である。
【図５】本願発明による下水管洗浄装置の他の実施の形態を示す正面図である。
【図６】本願発明による下水管洗浄装置のさらに他の実施の形態を示す正面図である。
【図７】図６の右側面図である。
【発明を実施するための形態】
【００１１】
次に、実施の形態を示す図面に基づき本願発明による下水管洗浄装置をさらに詳しく説明する。なお、便宜上同一の機能を奏する部分には同一の符号を付してその説明を省略する。
【００１２】
本願発明による下水管洗浄装置１は、両端が閉塞された例えば直径１００ｍｍのアルミニウム製の中空の円筒からなるボデー３を有し、該ボデー３の円周面に等間隔（本実施例では曲管ノズル５が８個なので角度４５°刻み）にかつ螺旋状に８本のパイプ６が突設される。該各パイプ６の先端には、曲管からなり、口の窄まったソケットを取付けてなるノズル５ａ乃至ノズル５ｈ（総称するときは「曲管ノズル５」という）が設けられる。上記曲管ノズル５は、「エルボ管」と称され、先端部が例えば４５°に傾斜されてなる。上記曲管ノズル５は、上記ボデー３内に設けられた散水分配機４に連通される。
【００１３】
上記ボデー３の両端部には首部２５ａ、２５ｂが突設され、該首部２５ａ、２５ｂにユニットピロー型のベアリング２７ａ、２７ｂを取付け、ボデー３を回転可能に軸支する。２９は脚部３１ａ、３１ｂと首部２５ａ、２５ｂを連結する支承板である。一方の首部２５ａはホース１３に接続されるため開口される。
【００１４】
上記脚部３１ａ、３１ｂは、図４に示すように、複数のジョイント３３ａ乃至３３ｅからなり、下水管２３の口径に応じて適宜数のジョイント３３ａ乃至３３ｅを連設して長さを調節する。なお、図示例の場合、ジョイント３３ａの長さは１００ｍｍ、ジョイント３３ｂ乃至ジョイント３３ｅは５０ｍｍである。３３ｆはそり２１に固着され上記脚部３１ａ、３１ｂを回動可能に軸支するナックルジョイント、３３ｇは上記脚部３１ａ、３１ｂを上記支承板２９に固着する止めボルトである。上記脚部３１ａ、３１ｂ間の角度βは本例の場合４５°となっている。
【００１５】
次に、正円形の下水管２３を例に、本願発明による下水管洗浄装置１の設置及び洗浄方法について説明する。まず、ボデー３の回転軸と下水管２３の中心軸とが一致するように、つまりボデー３の回転軸からそり２１，２１までの距離が下水管２３の半径と等しくなるように、脚部３１ａ，３１ｂの長さを調節する。この調節は洗浄作業の前に予めジョイント３３ａ乃至３３ｅの個数を適宜数にすることにより行なう。
【００１６】
次に、ホース１３をボデー３の一端部に装着し他端部を塞いだ下水管洗浄装置１を図示しないマンホールより下水管２３内に挿入し、脚部３１ａ，３１ｂを内壁面２３ａに当接させ、さらにそり２１を内壁面２３ａの傾斜に合わせて角度調節する。
【００１７】
ホース１３からボデー３内に圧水を注入すると、曲管ノズル５から圧水が噴出する。よって噴出水の方向が回転軸の中心からずれるため、その反作用により、ボデー３は回転の推進力を得るので、ボデー３は圧水の噴出方向とは反対方向の矢印Ａ方向に回転する。
【００１８】
下水管洗浄装置１の移動は、図示しないロープにより、ボデー３を矢印Ｂ方向に人力で牽引したり、ボデー３を押したりして行ない、前進又は後進する。
【００１９】
洗浄終了後、必要な次作業例えば内壁のライニング作業をすることができる。
【００２０】
上記実施の形態によれば、連続的に噴出される圧水は、ボデー３の回転中、洗浄水として下水管２３の内壁全面に常に略直角に噴射されるから、下水管２３の内壁洗浄を効率的に行うことができる。
【００２１】
また、各曲管ノズル５はボデー３に螺旋状に設置されているから、曲管ノズル５ａ乃至５ｈから圧水が連続的に噴出するので、ボデー３の回転が円滑であり、強力な推進力を得ることができる。
【００２２】
さらに、ベアリング２７ａ、２７ｂを取付けてあるからボデー３の回転が一層円滑となる効果がある。
【００２３】
さらにまた、下水管２３の口径より脚部３１ａ、３１ｂの長さ調節を作業前に予めなすことができるので、作業が一層効率化する効果がある。
【００２４】
本願発明は上記実施の形態に限定されない。図５は本願発明による下水管洗浄装置１の他の実施の形態を示す。この場合、曲管ノズル５はボデー３の進行方向後部に設けられたパイプ６ａに２個取り付けられ、他のパイプ６ｂには直管からなるノズル１５が取り付けられる。
【００２５】
この実施の形態によれば、後部２本の曲管ノズル５によりボデー３の回転推進力を得るとともに、他の６本の直管ノズル１５により、下水管２３の内壁面に直行する洗浄水を得る。よって、下水管２３内に廃棄され内壁面に付着されたモルタルや内壁面にこびり付いたラード等からなる汚れといった、従来除去が困難であった固着性汚物の除去に一層効果的である。なお、進行方向最後部のボデー３に１個の曲管ノズル５を設置する場合であっても、圧水の圧力等の条件によってはボデー３の回転推進力を得ることができる。
【００２６】
ボデー３の周面形状は任意であり、図６及び図７に示すように多角形とすることができる。図６及び図７の場合、ボデー３は中空の正八角柱体に形成されたアルミニウムからなる。上記ボデー３は、両端部にねじ蓋９ａ，９ｂが着脱自在に螺着され、該ねじ蓋９ａの中央部には上記ボデー３内に設けられた散水分配機４に連通する孔１１が設けられており、該孔１１に回転可能にホース１３が接続される。上記ねじ蓋９ａ，９ｂと上記ボデー３の連結部には溝１０，１０が設けられ、該溝１０，１０がステンレス製のブラケット１７，１７によって軸支される。これにより、上記ボデー３はこれらのブラケット１７，１７間において回転可能となる。
【００２７】
また脚部の長さ調節の方法は任意である。図６及び図７に示すように、ターンバックル１９により脚部７、８の長さ調節をすることができる。図６及び図７の場合、上記ブラケット１７，１７には、それぞれ脚部７，７及び脚部８，８が固着される。該脚部７，７及び脚部８，８は所定の角度α（本例ではα＝９０°）をもって開脚される。上記脚部７，７及び上記脚部８，８には、夫々、伸縮自在のターンバックル１９，１９が取り付けられ、これにより該脚部７，７及び脚部８，８は伸縮自在となっている。上記脚部７，７及び上記脚部８，８の先端部には、夫々、回動自在に一対のステンレス製のそり２１，２１が枢着される。これにより、ボデー３の高さは自在に変更できる。またこれにより、下水管の形に拘らず、例えば図２に示すような正円形の下水管２３であっても、図示を省略する底部が平面の下水管であっても、そり２１の角度を調整することにより下水管洗浄装置１を下水管内に安定して設置することができる。
【００２８】
各部材の素材は適宜に変更可能である。また、各部位の大きさは任意であるが、例えば下水管の内径を６００ｍｍ乃至１５００ｍｍ程度であると想定すると、そりを含めた下水管洗浄装置の全長は１０００ｍｍ程度が望ましく、この場合、ボデーの長さが３００ｍｍ程度、ノズルの長さが１００ｍｍ程度となる。
【００２９】
本願発明による下水管洗浄装置は直径５００ｍｍ乃至１０００ｍｍ程度の大口径下水管の洗浄に威力を発揮するが、適宜の大きさに縮小することにより直径２５０ｍｍ乃至４００ｍｍ程度の小口径下水管の洗浄にも使用することができる。
【００３０】
本願発明による下水管洗浄装置が適用される下水管の形状は任意であり、例えば底部が平面の下水管にも適用することができる。
【００３１】
曲管ノズル５の先端部の傾斜の角度は適宜に変更可能である。
【００３２】
曲管又は直管からなるノズルを接続するパイプは下水管の径によって長さを変更することができる。また、例えば内管及び外管からなる伸縮自在のノズルを用いても構わない。また、ノズルの数は適宜変更可能である。また、ボデーの形状は任意である。
【産業上の利用可能性】
【００３３】
本願発明は、下水管を洗浄する下水管洗浄装置として活用することができる。
【符号の説明】
【００３４】
１      下水管洗浄装置
３      ボデー
４      散水分配機
５      曲管ノズル
６      パイプ
６ａ    パイプ
６ｂ    パイプ
７      脚部
８      脚部
９ａ    ねじ蓋
９ｂ    ねじ蓋
１０    溝
１１    孔
１３    ホース
１５    直管ノズル
１７    ブラケット
１９    ターンバックル
２１    そり
２３    下水管
２３ａ  内壁面  
２５ａ  首部
２５ｂ  首部
２７ａ  ベアリング
２７ｂ  ベアリング
２９    支承板
３１ａ  脚部
３１ｂ  脚部
３３ａ  ジョイント
３３ｂ  ジョイント
３３ｃ  ジョイント
３３ｄ  ジョイント
３３ｅ  ジョイント
３３ｆ  ナックルジョイント
３３ｇ  止めボルト
【図１】
2013091920.tif 000003
【図２】
2013091920.tif 000004
【図３】
2013091920.tif 000005
【図４】
2013091920.tif 000006
【図５】
2013091920.tif 000007
【図６】
2013091920.tif 000008
【図７】
2013091920.tif 000009